(57)【要約】【課題】  内部に書類や資料などが綴じられていない多数のファイルでも、前後・左右へ移動する等がなく、安定した状態でファイル収納部材に収納、保管することが可能なファイル収納部材用ファイルガイドを提供することを目的とする。【解決手段】  本棚、書類棚、ファイル棚等のファイル収納部材１０の背面板側に位置する背板１と、背板１の正面に略直角となるように連設された１枚ないし複数枚の区劃板２と、区劃板２先端両側に平面略Ｖ字形状となるよう先端が連設された２枚一対のガイド板３とを、弾力性を有する柔軟なプラスチックシート材にて形成して構成される。【選択図】          図１
2005131003.tif 000002
【特許請求の範囲】
【請求項１】
本棚、書類棚、ファイル棚等のファイル収納部材の背面板側に位置する背板と、背板の正面に略直角となるように連設された１枚ないし複数枚の区劃板と、区劃板先端両側に平面略Ｖ字形状となるよう先端が連設された２枚一対のガイド板とを、弾力性を有する柔軟なプラスチックシート材にて形成したことを特徴とするファイル収納部材用ファイルガイド。
【発明の詳細な説明】
【技術分野】
【０００１】
本発明は、ファイル収納部材用ファイルガイドに関する。
【背景技術】
【０００２】
従来より、書類や資料などを整理し、綴じて保存するファイルは、本棚、書類棚、ファイル棚等のファイル収納部材に垂直に立てつつ並列した状態で収納、保管されることが多いものである。
【０００３】
すなわち、図４に示したように、ファイル収納部材１０は、背面板１１と両側面板１２と底板１３とを有しており、複数のファイル１４は、その先端が背面板１１側に、後端が正面開口部側に位置するようにして、垂直に立てつつ並列した状態で収納、保管されることが多いものである。
【特許文献１】特になし。
【発明の開示】
【発明が解決しようとする課題】
【０００４】
ところで、ファイル１４は、所定の幅で形成される背板１５と表板１６および裏板１７にて形成されているが、内部に書類や資料１８などが綴じられていない場合は、ファイル収納部材１０内に表板１６と裏板１７の先端が閉鎖状態で収納され易い。
【０００５】
このため、保管中にファイル収納部材１０の底板１３上をスライドし、前後・左右へ移動したり、あるいは倒れることもあり、安定した状態でファイル１４を収納、保管することが困難となっている。
【０００６】
本発明は、このような従来の問題点を解消するためになされたもので、内部に書類や資料などが綴じられていない多数のファイルでも、前後・左右へ移動する等がなく、安定した状態でファイル収納部材に収納、保管することが可能なファイル収納部材用ファイルガイドを提供することを目的とする。
【課題を解決するための手段】
【０００７】
上記の目的を達成するため、本発明に係るファイル収納部材用ファイルガイドは、請求項１に示したように、本棚、書類棚、ファイル棚等のファイル収納部材の背面板側に位置する背板と、背板の正面に略直角となるように連設された１枚ないし複数枚の区劃板と、区劃板先端両側に平面略Ｖ字形状となるよう先端が連設された２枚一対のガイド板とを、弾力性を有する柔軟なプラスチックシート材にて形成したことを特徴とする。
【発明の効果】
【０００８】
本発明のファイル収納部材用ファイルガイドは以上のとおり構成されるものであるから、ファイルの差し込み収納をワンタッチで簡単に行うことができるばかりでなく、書類や資料などが綴じられていないファイルであっても、いったんファイルを収納されると、弾性を有する両側のガイド板がファイルの表板、裏板の先端を閉じた状態で面圧、保持するため、保管中にファイルがスライドして前後・左右へ移動したり、あるいは倒れることがなく、安定した状態でファイルを収納、保管することができる。
【０００９】
また、書類や資料などが綴じられているファイルであっても、先端が開いた状態の表板、裏板に対応して弾性を有する両側のガイド板が開いた状態で面圧、保持するため、同じように安定した状態でファイルを収納、保管することができる。
【発明を実施するための最良の形態】
【００１０】
図１は、本発明に係るファイル収納部材用ファイルガイドの一実施の形態を示す斜視図であり、図２は、同上の使用状態を示す平面図である。
【００１１】
本実施の形態のファイル収納部材用ファイルガイドＡは、背板１と、背板１の正面に連設された区劃板２と、区劃板２の先端両側にそれぞれ連設されたガイド板３と有している。
【００１２】
そして、これら背板１、区劃板２およびガイド板３は、全て弾力性を有する柔軟なプラスチックシート材、例えばポリエチレン樹脂、ポリプロピレン樹脂、アクリル樹脂などを素材とするシート状物にて形成される。
【００１３】
背板１は、横長矩形状に形成されており、その両端には、前方へ略直角に屈折させることで両側板４がそれぞれ形成されると共に、両側板４の先端には、内側後方へ鋭角に屈折させることでガイド板５がそれぞれ形成されている。
【００１４】
両側板４とガイド板５は、高さが背板１と同じである。一方、ガイド板５の奥行きは、図示のように両側板４よりも短く形成される。さらに、両側板４に対するガイド板５の拡開度は、後述する区劃板２に対するガイド板３一枚の拡開度と一致させて設定する。
【００１５】
区劃板２は、両側板４と同形、同大に形成されており、背板１の正面に略直角となるように、複数枚が等間隔に連設される。図示例では、５枚設けられると共に、両側板４との間隔を含めて全て等間隔に形成されている。もちろん、それ以下でも、それ以上でもよいが、各間隔は所定厚みを持ったファイル１０が挿入可能な幅に設定される。
【００１６】
ガイド板３は、両側板４の先端に設けられたガイド板５と同形、同大にして、かつ２枚一対設けられており、それぞれの先端部が、区劃板２の先端両側に平面略Ｖ字形状となるように連設される。区劃板２に対する各ガイド板３の拡開度がガイド板５のそれと一致することは既述のとおりである。なお、背板１、区劃板２およびガイド板３の連設手段は、熱溶着や接着剤など何れでもよい。
【００１７】
この実施形態において、本発明のファイルガイドＡを使用するには、図２に示したように、ファイル収納部材１０の底板１３にファイルガイドＡを収納、設置する。このとき、ファイルガイドＡの背板１を、ファイル収納部材１０の背面板１１に、接近、当接させると共に、両側板４を両側面板１２の内側に接近、当接させる。
【００１８】
そこで、ファイル１４を、その先端側からファイルガイドＡの両側板４と区劃板２の間および各区劃板２の間に差し込むと、ファイル１４の内部に書類や資料１８が綴じられていない場合は、その表板１６および裏板１７の両面が、平面略Ｖ字状に形成された区劃板２と両側板４のそれぞれのガイド板３、５によって面圧されることにより、ファイル１４先端が閉鎖された状態で収納、保持される。
【００１９】
一方、ファイル１４内部に書類や資料１８が綴じられている場合は、平面略Ｖ字形状のガイド板３、５が、ファイル１４の表板１６および裏板１７に面圧されて拡き、これにより、ファイル１４はその先端が拡いた状態で収納、保持される。
【００２０】
いずれの場合も、ファイルガイドＡ内にいったん収納、保持されたファイル１４は、横方向へ倒れたり、あるいは前後・左右へ移動する等がなく、安定した状態で保管することができる。
【００２１】
図３は、本発明の別の実施の形態を示し、上述した実施の形態と同一の部材には同一の符号を付して対応させてある。
【００２２】
この実施の形態では、背板１ａが幅狭に形成されており、一枚の背板１ａの正面中央に一枚の区劃板２が略直角となるよう連設されると共に、区劃板２先端に平面略Ｖ字形状のガイド板３が連設されたガイド部材ａおよび最初の実施形態の背板１と略同形、同大の背板１ｂ正面の上下両端に、一対の帯状ガイド片１cが外側から内側へそれぞれ折曲して形成されたガイド部材ｂが使用される。
【００２３】
そして、ガイド部材ａにあっては、区劃板２の縦幅に対して、背板１ａの上下両端が若干延長されており、一方、ガイド部材ｂにあっては、背板１ｂの上下両端に折曲、形成された帯状ガイド片１ｃによって対向して開口するガイド溝部１ｄがそれぞれ形成される。
【００２４】
このようにガイド部材ａ、ｂを構成することにより、ガイド部材ａの背板１ａの上下に設けられた延長部を、ガイド部材ｂの上下に設けられたガイド溝部１ｄ内に横方向へスライド自在に挿入することができる。ガイド部材ａを複数（例えば、最初の実施形態と同じ５個）設け、これらをガイド部材ｂに等間隔に位置させれば、前記実施形態と同様に使用することができる。
【図面の簡単な説明】
【００２５】
【図１】本発明の一実施の形態におけるファイル収納部材用ファイルガイドを示す斜視図である。
【図２】同上の使用状態を示す平面図である。
【図３】本発明の別の実施の形態におけるファイル収納部材用ファイルガイドを示す斜視図である。
【図４】従来のファイルの収納、保管状態を示す平面図である。
【符号の説明】
【００２６】
１、１ａ、１ｂ  背板
２              区劃板
３、５          ガイド板
１０            ファイル収納部材
【図１】
2005131003.tif 000003
【図２】
2005131003.tif 000004
【図３】
2005131003.tif 000005
【図４】
2005131003.tif 000006